(57)【要約】【課題】液晶容量に対する直流成分の印加を回避しつつ、階調変化を抑える。【解決手段】補正回路５５は、画素の階調を指定する階調データＶdを補正し、Ｄ／Ａ変換回路群５４４は、補正した階調データＶdaを、所定電位を基準として正極性および負極性電圧としたデータ信号に変換する。ここで、補正回路５５は、階調データＶdにより指定される階調に対する補正値を、正極性のみに対応して記憶するＬＵＴ５０４を備える。補正回路５５は、データ信号を正極性とする場合には、ＬＵＴ５０４に記憶された補正値を、負極性とする場合には、ＬＵＴ５０４に記憶された補正値の符号反転値を、それぞれ階調データ信号Ｖdに加算する。【選択図】図３
2008185993.tif 000002
【特許請求の範囲】
【請求項１】
画素の階調値を指定する画像データを補正するとともに、当該補正した画像データに基づく電圧のデータ信号に、所定電位を基準として正極性および負極性で交互に変換する処理回路であって、
前記正極性または負極性のいずれか一方極性に変換すべき場合に、前記画像データを補正するための補正値を、前記画像データにより指定される階調値に対応して記憶する記憶部と、
前記正極性または負極性のいずれか一方極性に変換する場合には、前記記憶部に記憶された補正値を、前記正極性または負極性のいずれか他方極性に変換する場合には、前記記憶部に記憶された補正値の符号反転値を、それぞれ前記画像データに加算して、前記補正した画像データとして出力する加算回路と、
を有することを特徴とする処理回路。
【請求項２】
前記記憶部は、前記画像データにより指定可能な階調値のうち、一部の階調値に対する補正値を記憶し、
前記画像データにより指定される階調値のうち、前記一部の階調値以外の階調値に対する補正値については、当該一部の階調値から補間して求める補間回路を有する
ことを特徴とする請求項１に記載の処理回路。
【請求項３】
前記画像データに対応する補正値または当該補正値の符号反転値を算出するまでの時間だけ、当該画像データを遅延させて前記加算回路に供給するタイミング調整回路を有する
ことを特徴とする請求項１に記載の処理回路。
【請求項４】
画素の階調値を指定する画像データを補正するとともに、当該補正した画像データに基づく電圧のデータ信号に、所定電位を基準として正極性および負極性で交互に変換する処理方法であって、
前記正極性または負極性のいずれか一方極性に変換すべき場合に、前記画像データを補正するための補正値を、前記画像データにより指定される階調値に対応して予め記憶しておき、
前記正極性または負極性のいずれか一方極性に変換する場合には、記憶した補正値を、前記正極性または負極性のいずれか他方極性に変換する場合には、記憶した補正値の符号反転値を、それぞれ前記画像データ信号に加算して、前記補正した画像データとして出力する
ことを特徴とする処理方法。
【請求項５】
画素の階調値を指定する画像データを補正するとともに、当該補正した画像データに基づく電圧のデータ信号に、所定電位を基準として正極性および負極性で交互に変換する処理回路と、
複数行の走査線と複数列のデータ線との交差に対応してそれぞれ設けられるとともに、自身に対応する走査線が選択されたとき、自身に対応するデータ線に供給されたデータ信号の電圧に応じた階調となる複数の画素と、
前記複数行の走査線を所定の順番で選択する走査線駆動回路と、
選択された走査線に位置する画素に対し、前記処理回路によるデータ信号を、前記データ線を介して供給するデータ線駆動回路と、
を有し、
前記処理回路は、
前記正極性または負極性のいずれか一方極性に変換すべき場合に、前記画像データを補正するための補正値を、前記画像データにより指定される階調値に対応して記憶する記憶部と、
前記正極性または負極性のいずれか一方極性に変換する場合には、前記記憶部に記憶された補正値を、前記正極性または負極性のいずれか他方極性に変換する場合には、前記記憶部に記憶された補正値の符号反転値を、それぞれ前記画像データに加算して、前記補正した画像データとして出力する加算回路と、
を有することを特徴とする電気光学装置。
【請求項６】
請求項５に記載の電気光学装置を原色毎に少なくとも３組有し、
それら少なくとも３組の電気光学装置による画像を合成するプロジェクタであって、
当該少なくとも３組の記憶部の補正値は同一内容である
ことを特徴とするプロジェクタ。
【発明の詳細な説明】
【技術分野】
【０００１】
本発明は、例えば液晶などの電気光学材料に対する直流成分の印加を回避する技術に関する。
【背景技術】
【０００２】
一般に、液晶表示装置では、画素電極および対向電極で液晶を挟持した液晶容量（画素）に対しては、直流成分の印加による液晶の劣化を防止するために、対向電極に印加する電圧に対しては高位側（正極性）の電圧と低位側（負極性）の電圧とで、交互に駆動する交流駆動する方式が原則である。
ところが、画素電極を薄膜トランジスタ（Thin Film Transistor：以下「ＴＦＴ」と称する）により駆動するアクティブマトリクス型では、プッシュダウンなどが発生するため、対向電極の印加電圧を極性の基準からシフトさせるとともに、正極性または負極性のいずれか一方についてのみ、画素電極に印加する電圧を補正し、正極性または負極性のいずれか他方についてのみ、画素電極に印加する電圧を補正しない技術が提案されている（例えば、特許文献１参照）。
【特許文献１】特開２００２−１８２６２３号公報参照
【発明の開示】
【発明が解決しようとする課題】
【０００３】
しかしながら、この技術では、一方の極性を補正すると、補正を全くしないと場合と比較して、画素の階調（明るさ）に変化が発生しやすい、といった欠点が指摘されている。
本発明は、上述した事情に鑑みてなされたもので、その目的とするところは、液晶容量に対する直流成分の印加を回避しつつ、補正を全くしない場合と比較して、階調変化を抑えた処理回路、処理方法、電気光学装置およびプロジェクタを提供することにある。
【課題を解決するための手段】
【０００４】
上記目的を達成するために本発明に係る処理回路は、画素の階調値を指定する画像データを補正するとともに、当該補正した画像データに基づく電圧のデータ信号に、所定電位を基準として正極性および負極性で交互に変換する処理回路であって、前記正極性または負極性のいずれか一方極性に変換すべき場合に、前記画像データを補正するための補正値を、前記画像データにより指定される階調値に対応して記憶する記憶部と、前記正極性または負極性のいずれか一方極性に変換する場合には、前記記憶部に記憶された補正値を、前記正極性または負極性のいずれか他方極性に変換する場合には、前記記憶部に記憶された補正値の符号反転値を、それぞれ前記画像データ信号に加算して、前記補正した画像データとして出力する加算回路と、を有することを特徴とする。本発明によれば、画素を構成する液晶容量に対する直流成分の印加を回避しつつ、階調変化を抑えることが可能となる。
本発明において、前記記憶部は、前記画像データにより指定可能な階調値のうち、一部の階調値に対する補正値を記憶し、前記画像データにより指定される階調値のうち、前記一部の階調値以外の階調値に対する補正値については、当該一部の階調値から補間して求める補間回路を有する構成とすれば、記憶部に要する記憶容量が少なくて済む。
また、本発明において、前記画像データに対応する補正値または当該補正値の符号反転値を算出するまでの時間だけ、当該画像データを遅延させて前記加算回路に供給するタイミング調整回路を有する構成としても良い。
なお、本発明は、処理回路のみならず、処理方法としても概念することが可能である。
【０００５】
また、上記目的を達成するために本発明に係る電気光学装置は、画素の階調値を指定する画像データを補正するとともに、当該補正した画像データに基づく電圧のデータ信号に、所定電位を基準として正極性および負極性で交互に変換する処理回路と、複数行の走査線と複数列のデータ線との交差に対応してそれぞれ設けられるとともに、自身に対応する走査線が選択されたとき、自身に対応するデータ線に供給されたデータ信号の電圧に応じた階調となる複数の画素と、前記複数行の走査線を所定の順番で選択する走査線駆動回路と、選択された走査線に位置する画素に対し、前記処理回路によるデータ信号を、前記データ線を介して供給するデータ線駆動回路と、を有し、前記処理回路は、前記正極性または負極性のいずれか一方極性に変換すべき場合に、前記画像データを補正するための補正値を、前記画像データにより指定される階調値に対応して記憶する記憶部と、前記正極性または負極性のいずれか一方極性に変換する場合には、前記記憶部に記憶された補正値を、前記正極性または負極性のいずれか他方極性に変換する場合には、前記記憶部に記憶された補正値の符号反転値を、それぞれ前記画像データ信号に加算して、前記補正した画像データとして出力する加算回路と、を有することを特徴とする。本発明によれば、画素を構成する液晶容量に対する直流成分の印加を回避しつつ、階調変化を抑えることが可能となる。
ここで、このような電気光学装置を原色毎に少なくとも３組有し、それら少なくとも３組の電気光学装置による画像を合成するプロジェクタとして、当該少なくとも３組の記憶部の補正値は同一内容である構成としても良い。
【発明を実施するための最良の形態】
【０００６】
以下、本発明の実施形態について図面を参照して説明する。
図１は、本発明の実施形態に係る電気光学装置の全体構成を示すブロック図である。この図に示されるように、本実施形態に係る電気光学装置１０は、画像データ処理回路５０と、走査制御回路６０と、表示パネル１００とを含む。このうち、走査制御回路６０は、図示しない上位装置から供給される垂直同期信号Ｖs、水平同期信号Ｈsおよびドットクロック信号Ｄclkにしたがって、画像データ処理回路５０および表示パネル１００の各部を制御するものである。
【０００７】
画像データ処理回路５０は、走査制御回路６０による制御にしたがって、ディジタルの画像データＶdを補正した後、３チャネルのデータ信号（画像信号）Ｖid1、Ｖid2およびＶid3に変換して、３本の画像信号線１４６に出力するものであるが、詳細については後述する。
また、画像データＶdは、画素の階調値（輝度）を、最も暗い黒色の「０」から最も明るい白色の「２５５」まで２５６段階で指定するものであり、表示パネル１００の画素のそれぞれに対応するデータが、垂直同期信号Ｖs、水平同期信号Ｈsおよびドットクロック信号Ｄclkに同期して（すなわち、垂直走査および水平走査にしたがって）供給される。ここで、画像データＶdを３チャネルに展開する理由は、本実施形態では、画像データＶdの１画素分が供給される期間を時間軸に３倍に伸長して（相展開、シリアル−パラレル変換ともいう）、後述するＴＦＴ１４４によるデータ信号のサンプリング時間を充分に確保するためである。
【０００８】
なお、画像データ処理回路５０は、ある画素に対応する画像データＶdを、当該画素の階調に応じた電圧のデータ信号に変換する際に、後述する電圧Ｖcを基準として高位側の正極性電圧とする場合と、低位側の負極性電圧とする場合とで交互に切り替える。ここで、極性を切り替える理由は、直流成分の印加による液晶の劣化を防止するためである。また、各画素に対してどの極性で書き込むかについては、走査線毎、データ線毎、画素毎、面（フレーム）毎などの様々な態様があるが、この実施形態にあっては説明の便宜上、走査線単位の極性反転であるとする。ただし、本発明をこれに限定する趣旨ではない。
また、本実施形態においてデータ信号の極性については電圧Ｖcを基準とするが、電圧については、特に説明のない限り、後述する論理レベルのＬレベルに相当する接地電位Ｇndを、電圧ゼロの基準としている。
【０００９】
表示パネル１００は、液晶を用いて、所定の表示を行うものであり、表示領域１００ａの周辺に、走査線駆動回路１３０およびデータ線駆動回路１４０が配置した周辺回路内蔵型となっている。
表示領域１００ａは、画素１１０が配列する領域であり、本実施形態では、１０８０行の走査線１１２が横方向（Ｘ方向）に設けられる一方、１９２０（＝６４０×３）列のデータ線１１４が図において縦方向（Ｙ方向）に設けられている。そして、これらの走査線１１２とデータ線１１４との交差の各々に対応するように画素１１０がそれぞれ設けられている。したがって、本実施形態では、画素１１０が表示領域１００ａにおいて縦１０８０行×横１９２０列でマトリクス状に配列することになる。
【００１０】
走査線駆動回路１３０は、走査制御回路６０による制御にしたがって、垂直走査期間（フレーム）にわたって走査信号Ｇ1、Ｇ2、Ｇ3、…、Ｇ1080を、それぞれ１、２、３、…、１０８０行目の走査線１１２に供給するものである。詳細には、走査線駆動回路１３０は、走査線１１２を図１において上から数えて１、２、３、…、１０８０行目という順番で選択し、選択した走査線への走査信号を電圧Ｖddに相当するＨレベルとし、それ以外の走査線への走査信号を非選択電圧（接地電位Ｇnd）に相当するＬレベルとする。
走査線駆動回路１３０の構成については、本発明と直接関連しないので省略するが、走査制御回路６０から供給されるスタートパルスＤyを、図７に示されるように、クロック信号Ｃlyのレベルが遷移する（立ち上がる又は立ち下がる）毎に順次シフトした後、波形整形するなどによって、走査信号Ｇ1、Ｇ2、Ｇ3、…、Ｇ1080として出力する。なお、走査信号Ｇ1、Ｇ2、Ｇ3、…、Ｇ1080がＨレベルとなる期間を水平走査期間（Ｈ）としている。
【００１１】
データ線駆動回路１４０は、サンプリング信号出力回路１４２と、各データ線１１４にそれぞれ対応して設けられたｎチャネル型のＴＦＴ１４４とによって構成される。
ここで、本実施形態において１〜１９２０列のデータ線１１４は、３列毎にブロック化されている。なお、データ線１１４の総数は「１９２０」であるので、ブロック数は「６４０」となる。
サンプリング信号出力回路１４２は、走査制御回路６０による制御にしたがって、各ブロックに対応するようにサンプリング信号Ｓa1、Ｓa2、Ｓa3、…、Ｓa640を出力するものである。詳細には、サンプリング信号出力回路１４２は、図７または図８に示されるように、水平走査期間の最初に供給されるスタートパルスＤxを、クロック信号Ｃlxのレベルが遷移する毎に順次シフトした後、波形整形するなどして、サンプリング信号Ｓa1、Ｓa2、Ｓa3、…、Ｓa640として出力する。
【００１２】
１〜１９２０列のデータ線１１４の一端は、ＴＦＴ１４４のドレイン電極に接続される一方、ＴＦＴ１４４のゲート電極は、同一ブロックに対応するもの同士で共通接続されている。同一ブロックに属する３つのＴＦＴ１４４の共通ゲート電極には、当該ブロックに対応してサンプリング信号出力回路１４２から出力されたサンプリング信号が供給される。例えば、左から数えて２番目のブロックは、４、５および６列目のデータ線１１４に対応するので、これらのデータ線１１４に対応するＴＦＴ１４４のゲート電極には、サンプリング信号Ｓa2が共通に供給される。
また、ＴＦＴ１４４のソース電極は、３本の画像信号線１４６のいずれかに、次のような関係で接続される。すなわち、データ線１１４を一般化して説明するために１≦ｊ≦１９２０を満たす整数ｊを用いると、図１において左から数えてｊ列目のデータ線１１４の一端にドレイン電極が接続されたＴＦＴ１４４のソース電極は、列数であるｊを３で割った余りが「１」であるならば、データ信号Ｖid1が供給される画像信号線１４６に接続され、ｊを３で割った余りが「２」、「０」であるデータ線１１４にドレイン電極が接続されたＴＦＴ１４４のソース電極は、それぞれデータ信号Ｖid2、Ｖid3が供給される画像信号線１４６に接続される。例えば、左から数えて８列目のデータ線１１４にドレイン電極が接続されたＴＦＴ１４４のソース電極は、「８」を３で割った余りが「２」であるから、データ信号Ｖid2が供給される画像信号線１４６に接続される。
【００１３】
次に、画素１１０について説明する。図２は、画素１１０の構成を示す図であり、ｉ行及びこれに下方向で隣接する（ｉ＋１）行と、ｊ列及びこれに右方向で隣接する（ｊ＋１）列との交差に対応する２×２の計４画素分の構成が示されている。なお、ｉ、（ｉ＋１）は、画素１１０が配列する行を一般的に示す場合の記号であって、本実施形態では、１≦ｉ≦１０８０を満たす整数である。
この図に示されるように、各画素１１０は、ｎチャネル型のＴＦＴ１１６と、液晶容量１２０と、蓄積容量１０９とを有する。各画素１１０については互いに同一構成なので、ｉ行ｊ列に位置するもので代表して説明すると、当該ｉ行ｊ列の画素１１０において、ＴＦＴ１１６のゲート電極はｉ行目の走査線１１２に接続される一方、そのソース電極はｊ列目のデータ線１１４に接続され、そのドレイン電極は画素電極１１８に接続されている。
ここで、画素電極１１８に対向するように対向電極１０８が全画素に対して共通に設けられるとともに、一定の電圧ＬＣcomに維持される。そして、画素電極１１８と対向電極１０８との間には液晶１０５が挟持されている。このため、画素毎に、画素電極１１８、対向電極１０８および液晶１０５からなる液晶容量１２０が構成されることになる。
【００１４】
特に図示はしないが、両基板の各対向面には、液晶分子の長軸方向が両基板間で例えば約９０度連続的に捻れるようにラビング処理された配向膜がそれぞれ設けられる一方、両基板の各背面側には配向方向に応じた偏光子がそれぞれ設けられる。
画素電極１１８と対向電極１０８との間を通過する光は、液晶１０５に印加される電圧実効値がゼロであれば、液晶分子の捻れに沿って約９０度旋光する一方、当該電圧実効値が大きくなるにつれて、液晶分子が電界方向に傾く結果、その旋光性が消失する。このため、例えば透過型において、入射側と背面側とに、配向方向に合わせて偏光軸が互いに直交する偏光子をそれぞれ配置させると、当該電圧実効値がゼロに近ければ、光の透過率が最大となる白色表示になる一方、電圧実効値が大きくなるにつれて透過する光量が減少して、ついには透過率が最小となる黒色表示になる（ノーマリーホワイトモード）。
なお、ＴＦＴ１１６を介した液晶容量１２０でのリークの影響を少なくするために、蓄積容量１０９が画素毎に形成されている。この蓄積容量１０９の一端は、画素電極１１８（ＴＦＴ１１６のドレイン電極）に接続される一方、その他端は、全画素にわたって共通の容量線１０７に接続されて、一定電位（例えば接地電位Ｇnd）に保たれている。
【００１５】
ところで、データ線１１４と画素電極１１８との間をオンオフするＴＦＴ１１６では、いわゆるプッシュダウン（突き抜け、フィールドスルーとも呼ばれる）が発生する。詳細には、プッシュダウンとは、図６（ａ）に示されるように、走査信号がＨレベルに相当する電圧ＶddからＬレベルに相当する電位Ｇndへ変化したときに、その電圧変化と同じ方向に、画素電極１１８の電圧が引き込まれる、という現象である。このプッシュダウンが発生すると、走査信号がＨレベルであるときに、データ線１１４を介して画素電極１１８に印加したデータ信号の電圧からシフトさせてしまい、液晶容量１２０に直流成分が印加されてしまう原因となる。
プッシュダウンの原因は、おもにＴＦＴ１１６におけるゲート／ドレイン電極の間の寄生容量であり、走査信号がＨレベルであったときに、液晶容量、蓄積容量および寄生容量に蓄積された電荷が、走査信号がＬレベルとなった瞬間に再配分されることに起因する。ここで、液晶容量および寄生容量は、印加電圧によって変化する性質を有するので、同じ階調を指定するデータ信号であっても、正極性と負極性とでは、プッシュダウンによる画素電極の電圧低下分が異なることになる。
なお、ＴＦＴ１１６がｎチャネル型であれば、同図に示されるように、負極性が指定された場合におけるプッシュダウンによる電圧低下分Ｎdは、正極性が指定された場合におけるプッシュダウンによる電圧低下分Ｐdよりも大きくなる傾向がある。
【００１６】
さらに、基板間を光が透過する際、その一部がＴＦＴ１１６に侵入する場合がある。ＴＦＴ１１６に、特にそのチャネル部分に光が侵入すると、走査信号がＴＦＴ１１６をオフさせるＬレベルで維持される期間（保持期間）であっても、該ＴＦＴ１１６のオフ抵抗が小さくなるために、液晶容量１２０に保持された電荷がＴＦＴ１１６を介してリークする度合いが大きくなる。このリークの度合いは、また、データ線と画素電極との電圧差、すなわち、極性と階調とにより異なる傾向がある。
【００１７】
したがって、対向電極１０８に印加される電圧ＬＣcomと書込極性の基準である電圧Ｖcとを一致させて液晶を交流駆動すると、プッシュダウンやリークの差により、図６（ａ）に示されるように、負極性書込による液晶容量１２０の電圧実効値（ハッチングで示される領域）が、正極性書込による実効値よりも若干大きくなってしまう（ＴＦＴ１１６がｎチャネルの場合）。
このため、図６（ｂ）に示されるように、対向電極１０８の電圧ＬＣcomと書込極性の基準電圧Ｖcとを分離し、電圧ＬＣcomを、基準電圧Ｖcよりも低位側にオフセットするように設定する。
詳細には、第１に、ＴＦＴ１１６、１４４をオンさせるとともに、画像信号線１４６を介して、基準電圧Ｖcとの差が絶対値でみて同一値となる関係にある電圧Ｖgp、Ｖgn（すなわち、Ｖgp＞Ｖc＞Ｖgnであって、Ｖgp−Ｖc＝Ｖc−Ｖgn）を例えばフレーム毎に交互に供給することにより、画素電極１１８に印加する。このとき、電圧Ｖgpを印加したフレームと電圧Ｖgnを印加したフレームとにおいて、液晶容量に印加された電圧実効値に差があれば、明るさの差、すなわちフリッカが発生する。
そこで、第２に、電圧ＬＣcomを調整して、フリッカが発生しないような（または、最小となるような）地点に設定する。これにより、少なくとも画素を電圧Ｖgp、Ｖgnに相当する階調（この階調を「Ｇ」とする）で表示する場合に、液晶容量に直流成分が印加される状態が回避される。
【００１８】
しかしながら、上述したように、プッシュダウンやリークの程度は、極性や階調（画素電極に印加される電圧）に応じて相違する。このため、画素電極に電圧Ｖgp、Ｖgnをフレーム毎に交互に印加して、電圧ＬＣcomを設定したとき、それは、画素を階調Ｇで表示するときに限って、液晶容量に直流成分が印加されるのを回避した設定に過ぎず、階調Ｇとは異なる階調で表示するときにおいても、液晶容量に直流成分が印加されるのを回避したことにはならない。したがって、このような設定において、階調Ｇとは異なる階調で表示するときには、フリッカが発生して、液晶容量に直流成分が印加されるのを回避できないことになる。
したがって、電圧ＬＣcomを設定した後、画素を階調Ｇ以外とするときに、液晶容量における直流成分の印加を回避するためには、階調Ｇ以外の階調に相当するデータ信号の電圧（すなわち、画素電極に印加すべき電圧）を補正する必要がある。
ここで、データ信号の電圧を補正する際には、補正しない場合の画素の階調（明るさ）を保ちつつ、フリッカの発生を抑えることが望ましい。
【００１９】
背景の技術の欄で述べたような、液晶容量への直流成分の印加を回避するために、データ信号のうち、正極性または負極性のいずれか一方については補正せず、正極性または負極性の他方を補正する技術では、一方極性における液晶容量の電圧実効値は変化しないが、他方極性における液晶容量の電圧実効値は補正した分だけ変化するので、正極性・負極性の２フレームを通した画素の平均的な階調は、補正しないときと比較して変化してしまうことになる。
そこで、本実施形態は、液晶容量への直流成分の印加を回避するために、データ信号のうち、正極性および負極性の双方について補正するとともに、正極性または負極性のいずれか一方において液晶容量の電圧実効値を小さくするように補正した場合（すなわち、ノーマリーホワイトモードにおいて明るくするように補正した場合）には、正極性または負極性のいずれか他方において液晶容量の電圧実効値を大きくするように補正して（すなわち、ノーマリーホワイトモードにおいて暗くするように補正して）、正極性・負極性の２フレームを通した画素の平均的な階調が、全く補正しないときと比較して変化しないようにしたものである。このような補正を実行する回路が、次に説明する画像データ処理回路５０のうちの補正回路５５である。
【００２０】
そこで次に、画像データ処理回路５０について説明する。図３は、画像データ処理回路５０の構成を示すブロック図である。
この図に示されるように、画像データ処理回路５０は、アドレス生成器５０２、ルック・アップ・テーブル（ＬＵＴ）５０４、補間回路５０６、符号反転器５０８、セレクタ５１０、タイミング調整回路５２０および加算回路５３０からなる補正回路５５を含む。
このうち、ＬＵＴ５０４は、画像データＶdで指定される階調値に対応した補正値であって、正極性に対応する補正値を予め記憶する記憶部である。ここで、本実施形態においてＬＵＴ５０４は、「０」〜「２５５」の各階調値のすべてに対応してではなく、図４に示されるように、その一部の階調値のみに対応して補正値を記憶している。詳細には、ＬＵＴ５０４は、同図において黒丸で示された階調値の「３２」、「６４」、「９６」、「１２８」、「１６０」、「１９２」、「２２４」の階調値に対応する補正値のみを記憶している。これらの補正値は、同図に示されるように、正負の値を有するが、その意味内容については後述するものとする。
【００２１】
アドレス生成器５０２は、画像データＶdで指定された階調値に対応する補正値をＬＵＴ５０４から読み出すためのアドレスを生成するものであるが、当該画像データＶdで指定された階調値がＬＵＴ５０４に記憶された補正値に対応する値でない場合、当該階調値の前または後に位置する補正値を少なくとも２つ以上読み出すためのアドレスを生成する。
補間回路５０６は、画像データＶdで指定された階調値がＬＵＴ５０４に記憶された補正値に対応する値でない場合、画像データＶdで指定された階調値に応じた補正値をＬＵＴ５０４に記憶された補正値から補間して求めるものである。なお、補間回路５０６は、画像データＶdで指定された階調値がＬＵＴ５０４に記憶された補正値に対応する値であれば、ＬＵＴ５０４に記憶された補正値をそのまま出力する。
【００２２】
符号反転器５０８は、補間回路５０６から出力された補正値の符号を反転するものであり、その符号反転値をセレクタ５１０の入力端Ａに供給する。一方、セレクタ５１０の入力端Ｂには、補間回路５０６から出力された補正値がそのまま供給されている。
セレクタ５１０は、極性指定信号ＰolがＬレベルであれば入力端Ａを選択する一方、極性指定信号ＰolがＨレベルであれば入力端Ｂを選択して、それぞれ選択した入力端に供給された符号反転値または補正値を、加算回路５３０における一方の入力端に供給する。
【００２３】
ここで、極性指定信号Ｐolは、データ信号Ｖid1、Ｖid2、Ｖid3の変換極性を指定する信号であり、詳細には、Ｈレベルであれば正極性を、Ｌレベルであれば負極性を、それぞれ指定する。上述したように本実施形態では、データ信号を正極性および負極性とで走査線毎に切り替える方式としているので、極性指定信号Ｐolは、図７に示されるように、水平走査期間（Ｈ）毎に論理レベルが反転する。
なお、極性指定信号Ｐolは、あるフレーム（便宜的に「ｎフレーム」と表記している）において、奇数（１、３、５、…、１０７９）行の走査線が選択される水平走査期間（Ｈ）においてＨレベルとなり、偶数（２、４、６、…、１０８０）行の走査線が選択される水平走査期間（Ｈ）においてＬレベルとなったとき、次のフレーム（便宜的に「（ｎ＋１）フレーム」と表記している）において、奇数行の走査線が選択される水平走査期間（Ｈ）においてＬレベルとなり、偶数行の走査線が選択される水平走査期間（Ｈ）においてＨレベルとなって、液晶容量１２０を交流駆動するようになっている。
【００２４】
図５（ａ）は、補間回路５０６によって補間された補正値の特性の一例を示す図であり、極性指定信号Ｐolによって正極性が指定された場合、この画像データＶdの階調値の「０」〜「２５５」のそれぞれに対応する補正値が出力される。
図５（ｂ）は、極性指定信号Ｐolによって負極性が指定された場合における画像データＶdの階調値に対する符号反転値の特性の一例を示す図であり、図５（ａ）に示した正極性の特性を符号反転したものとなる。
【００２５】
加算回路５３０は、一方の入力端に供給される補正値またはその符号反転値と、他方の入力端に供給される画像データＶdとを加算して、補正済みの画像データＶdaとして出力するものである。
したがって、極性指定信号ＰolがＨレベルであって正極性が指定された場合、画像データＶdは、階調値に応じた補正値が加算されることにより補正される。一方、極性指定信号ＰolがＬレベルであって負極性が指定された場合、画像データＶdは、階調値に応じた補正値の符号反転値が加算される（すなわち、階調値に応じた補正値分だけ減算される）ことにより補正される。
【００２６】
ここで、加算回路５３０は、画像データＶdの階調値に対応する補正値（符号反転値）を加算することによって当該画像データＶdを補正するので、一方の入力端に供給される補正値（符号反転値）と、他方の入力端に供給される画像データＶdとは、同一画素に対応するものでなければならない。
このため、タイミング調整回路５２０は、アドレス生成器５０２において画像データＶdを入力してから、セレクタ５１０が補正値（符号反転値）を出力するまでの時間に相当する分だけ当該画像データＶdを遅延させ、これにより、加算回路５３０における一方の入力端に供給される補正値（符号反転値）と、他方の入力端に供給される画像データＶdとのタイミングを調整している。
【００２７】
Ｓ／Ｐ変換器５４２は、補正済みの画像データＶdaを３つのチャネルに分配するとともに、それぞれ時間軸に３倍に伸長（シリアル−パラレル変換、相展開ともいう）する。
Ｄ／Ａ変換回路群５４４は、チャネル毎に設けられたＤ／Ａ変換器の集合体であって、シリアル−パラレル変換された補正済の画像データを、極性指定信号Ｐolで指定された極性のアナログのデータ信号Ｖid1、Ｖid2、Ｖid3に変換して、表示パネル１００に出力するものである。
詳細には、Ｄ／Ａ変換回路群５４４は、各チャネルにおいて、極性指定信号Ｐolにより正極性が指定された場合には、正極性の電圧Ｖbpを基準にして、相展開された補正済みの画像データが指定する値に応じた分だけ低位側の電圧に変換する一方、極性指定信号Ｐolにより負極性が指定された場合には、負極性の電圧Ｖbnを基準にして、相展開された補正済みの画像データが指定する値に応じた分だけ高位側の電圧に変換する。
【００２８】
したがって、変換後のデータ信号は、正極性書込が指定された場合に補正済みの画像データが指定する値が「０」であれば、電圧Ｖbpとなり、該値が増加するにつれて、当該電圧Ｖbpから低位側に離れた電圧となる一方、負極性書込が指定された場合に補正済みの画像データが指定する値が「０」であれば、電圧Ｖbnとなり、階調値が増加するにつれて、当該電圧Ｖbnから高位側に離れた電圧となる。なお、電圧Ｖbp、Ｖbnとは、電圧Ｖcを中心として対称の位置にある（図６参照）。
ところで、本実施形態において加算回路５３０の一方の入力端に供給される補正値およびその符号反転値は正負の符号を伴うので、画像データＶdで指定される階調値が十進値で例えば「０」の場合に負の補正値が加算されると、当該加算値は十進値では負となるが、Ｄ／Ａ変換回路群５４４は、その負となった値に対応した電圧に変換する。なお、ここでいう負の値に対応した電圧とは、正極性書込が指定されていれば、電圧Ｖbpよりも高位側となる電圧をいい、負極性書込が指定されていれば、電圧Ｖbnよりも低位側となる電圧をいう。
また、画像データＶdで指定される階調値が十進値で「２５５」の場合に例えば正の補正値「４」が加算されたときも、Ｄ／Ａ変換回路群５４４は、その加算値である階調値「２５９」に対応した電圧に変換するものとする。
【００２９】
ここで、ＬＵＴ５０４に記憶された補正値の意味について説明する。まず、図４に示されるように、ＬＵＴ５０４に記憶された階調値「１２８」に対応する補正値はゼロであるが、これは、上述した階調値「１２８」を階調値Ｇとしているためである。すなわち、階調値「１２８」に相当する電圧Ｖgp、Ｖgnを画素電極１１８に印加したときに、フリッカが発生しないように電圧ＬＣcomを調整しているので、補正値はゼロである。
次に、ＬＵＴ５０４に記憶された補正値のうち、階調値「１２８」以外の値、例えば階調値「３２」に対応する補正値は、次のようにして決定されたものである。すなわち、対向電極１０８に印加する電圧ＬＣcomを調整した後、画像データＶdとして階調値「３２」を供給するとともに、この階調値「３２」に対応する補正値を仮の値（例えばゼロ）とする。これにより、正極性書込および負極性書込が交互に行われるが、この状態では、液晶容量に印加される電圧実効値は、正極性書込および負極性書込で異なるので、フリッカが生じる。そこで今度は、階調値「３２」に対応する補正値を増減させて、フリッカが最小となるよう調整する。
このような調整により、フリッカが最小となるよう地点での補正値を、階調値「３２」の補正値として、ＬＵＴ５０４に最終的に格納させる。
【００３０】
画素電極１１８に印加されるデータ信号は、正極性書込が指定されていれば、電圧Ｖbpを基準として、補正済みの画像データＶdaで示される値の分だけ低位側の電圧となる一方、負極性書込が指定されていれば、電圧Ｖbnを基準として補正済みの画像データＶdaで示される値の分だけ高位側の電圧となる。
このため、補正値を増加させた場合、正極性が指定されていれば、当該補正値が画像データＶdに加算されるので、データ信号の電圧を低下させ、負極性が指定されていれば、当該補正値の符号反転値が画像データＶdに加算されるので、同様にデータ信号の電圧を低下させる。例えば、階調値が「０」である画像データＶdを、補正値を正の方向に増加させると、図６（ｃ）に示されるように、正極性が指定されていれば、当該補正値が画像データＶdに加算されるので、データ信号の電圧（画素電極に印加される電圧）は、電圧Ｖbpから図において↓に示される方向に低下し、負極性が指定されていれば、当該補正値の符号反転値が画像データＶdに加算されるので、同様にデータ信号の電圧は、電圧Ｖbnから↓に示される方向に低下する。
ここで、正極性書込において、データ信号の電圧を低下させると、画素を明るくさせる方向に働くのに対し、負極性書込において、データ信号の電圧を低下させると、画素を暗くさせる方向に働く。
一方、補正値を減少させた場合、正極性が指定されていれば、データ信号の電圧を上昇させ、負極性が指定されていれば、同様にデータ信号の電圧を上昇させるが、正極性書込において、データ信号の電圧を上昇させると、画素を暗くさせる方向に働くのに対し、負極性書込において、データ信号の電圧を上昇させると、画素を明るくさせる方向に働く。
このため、階調値「３２」において、フリッカが最小となるよう調整された補正値は、液晶容量への直流成分の印加を回避しつつ、正極性・負極性の２フレームを通した画素の平均的な階調が、全く補正しないときと比較して、変化しない方向に調整したもの、といえる。
同様にして、階調値「６４」、「９６」、「１６０」、「１９２」、「２２４」の補正値を求めて、ＬＵＴ５０４に最終的に格納させる。
【００３１】
なお、階調値「０」は、画素を、最低の黒色とさせることを指定するものであるので、仮に液晶容量に印加される電圧実効値が正極性書込と負極性書込とで異なったとしても、フリッカとして視認することが困難である。同様に、階調値「２５５」は、画素を、最高の白色とさせることを指定するものであるので、仮に液晶容量に印加される電圧実効値が正極性書込と負極性書込とで異なったとしても、フリッカとして視認することが困難である。このため、ＬＵＴ５０４に記憶する補正値として、階調値「０」および「２５５」に対応する補正値を除外している。階調値「０」および「２５５」近傍の補正値についても同様である。ただし、ＬＵＴ５０４に記憶されていない補正値であっても、補間回路５０６により算出される。
【００３２】
次に、この電気光学装置１０の動作について説明する。
画像データＶdは、図７に示されるように、垂直走査信号Ｖsおよび水平走査信号Ｈs（のパルス）が出力されたときに１行１列の画素に対応するものが上位装置から画像データ処理回路５０に供給され、以降ドットクロック信号Ｄclkに同期して１画素分ずつ供給される。画像データＶdとして１９２０列目の画素に対応するものが供給されると、水平走査信号Ｈsが再び出力され、次行において１〜１９２０列目の画素に対応するものが同様にして供給される。そして、最終行最終列である１０８０行１９２０列の画素に対応するものが供給されると、次フレームに移行し、再び垂直走査信号Ｖsおよび水平走査信号Ｈsが出力されて、１行１列の画素に対応するものから順番に供給される。
【００３３】
画像データＶdが画像データ処理回路５０に供給されると、当該画像データＶdで指定される階調値がＬＵＴ５０４に記憶された補正値に対応する値であれば、その補正値が、ＬＵＴ５０４に記憶された補正値に対応する値でなければ、その値に対応するように、補間演算により求められた補正値が、それぞれ補間回路５０６から出力されるとともに、当該画像データＶdに対し、極性指定信号Ｐolにより正極性が指定されていれば、補間回路５０６から出力された補正値がセレクタ５１０で選択され、負極性が指定されていれば、当該補正値の符号反転値が選択される。
そして、タイミング調整回路５２０によりタイミング調整された画像データＶdは、セレクタ５１０で選択された補正値またはその符号反転値と加算回路５３０により加算され、これにより、補正済みの画像データＶdaとして出力される。
【００３４】
補正された画像データＶdaのうち、１行分についてみたとき、走査制御回路６０は、次のように画像データ処理回路５０、走査線駆動回路１３０およびデータ線駆動回路１４０に各部を制御する。すなわち、走査制御回路６０は、１、４、７、１０、…、１９１８列目の画素に対応するものをチャネルＣh1に、２、５、８、１１、…、１９１９列目の画素に対応するものをチャネルＣh2に、３、６、９、１２、…、１９２０列目の画素に対応するものをチャネルＣh3に、それぞれ分配するように画像データ処理回路５０を制御するとともに、画像データＶdaの供給行に対応する走査信号がＨレベルとなるように走査線駆動回路１３０を制御する一方、チャネルＣh1〜Ｃh3にそれぞれ１〜３列目の画素に対応する画像データＶdaが分配される期間においてサンプリング信号Ｓa1がＨレベルとなるように、チャネルＣh1〜Ｃh3に４〜６列目の画素に対応する画像データＶdが分配される期間においてサンプリング信号Ｓa2がＨレベルとなるように、以下同様にして、チャネルＣh1〜Ｃh3に１９１８〜１９２０列目の画素に対応する画像データＶdaが分配される期間においてサンプリング信号Ｓa640がＨレベルとなるように、それぞれサンプリング信号出力回路１４２を制御する。
なお、上位装置から供給される画像データＶdは、タイミング調整回路５２０によりタイミング調整されるので、補正済みの画像データＶdaの出力タイミングは、厳密にいえば、垂直同期信号Ｖs、水平同期信号Ｈsおよびドットクロック信号Ｄclkに対して遅延するので、走査制御回路６０は、タイミング調整回路５２０によるタイミング調整を考慮して、画像データ処理回路５０、走査線駆動回路１３０およびデータ線駆動回路１４０に各部を制御する。
【００３５】
本実施形態では、走査線毎に書込極性を反転する構成としているので、上述したように、ｎフレームにおいて、奇数行に対して正極性書込を指定するものとする。
まず、走査信号Ｇ1がＨレベルになると、１行目に位置する画素１１０、詳細には、１行１列〜１行１９２０列の画素のＴＦＴ１１６がオンする。一方、走査信号Ｇ1がＨレベルになる水平走査期間では、はじめにサンプリング信号Ｓa1がＨレベルになる。サンプリング信号Ｓa1がＨレベルとなる期間において、３本の画像信号線１４６に供給されるデータ信号Ｖid1、Ｖid2、Ｖid3は、それぞれ１行１列、１行２列、１行３列の画素の、補正された階調値に応じた正極性電圧に変換される。サンプリング信号Ｓa1がＨレベルであるので、第１番目のブロックに属する１、２、３列目のＴＦＴ１４４がオンする。このため、画像信号線１４６に供給されたデータ信号Ｖid1、Ｖid2、Ｖid3が、それぞれ１列、２列、３列目のデータ線１１４にサンプリングされるので、１行１列、１行２列、１行３列の画素電極１１８には、オン状態にあるＴＦＴ１１６を介して、それぞれ階調に応じた正極性電圧が印加されることになる。
【００３６】
次に、走査信号Ｇ1がＨレベルになる水平走査期間では、サンプリング信号Ｓa2がＨレベルになる。サンプリング信号Ｓa2がＨレベルとなる期間に画像信号線１４６に供給されるデータ信号Ｖid1、Ｖid2、Ｖid3は、それぞれ１行４列、１行５列、１行６列の画素の階調に応じた正極性電圧となる。サンプリング信号Ｓa2がＨレベルであるので、第２番目のブロックに属する４、５、６列目のＴＦＴ１４４がオンし、これにより、画像信号線１４６に供給されたデータ信号Ｖid1、Ｖid2、Ｖid3が、それぞれ４列、５列、６列目のデータ線１１４にサンプリングされる。したがって、１行４列、１行５列、１行６列の画素電極１１８には、オン状態にあるＴＦＴ１１６を介して、それぞれ階調に応じた正極性電圧が印加されることになる。
以降同様にして、サンプリング信号Ｓa3、Ｓa4、…、Ｓa640が順次Ｈレベルになると、第３番目、第４番目、…、第６４０番目のブロックに属する３列のデータ線１１４にそれぞれ順番にデータ信号Ｖid1〜Ｖid3がサンプリングされ、これにより、１行目に位置する１〜１９２０列の画素に対して、階調に応じた正極性の書き込みがなされることになる。
【００３７】
続いて、ｎフレームにおいて、走査信号Ｇ2がＨレベルになる水平走査期間について説明する。本実施形態では、上述したように、走査線毎に書込極性が反転されるので、２行目の画素に対しては負極性書込が指定されることになる。
また、走査信号Ｇ2がＨレベルになると、２行目に位置する画素１１０、詳細には、２行１列〜２行１９２０列のＴＦＴ１１６がオンする。
走査信号Ｇ2がＨレベルになる水平走査期間のうち、サンプリング信号Ｓa1がＨレベルになる期間に画像信号線１４６に供給されるデータ信号Ｖid1、Ｖid2、Ｖid3は、それぞれ２行１列、２行２列、２行３列の画素の階調に応じた負極性電圧となる。したがって、２行１列、２行２列、２行３列の画素電極１１８には、オン状態にあるＴＦＴ１１６を介して、それぞれ階調に応じた負極性電圧が印加されることになる。
他については、走査信号Ｇ1がＨレベルである水平走査期間と同様であり、サンプリング信号Ｓa2、Ｓa3、Ｓa4、…、Ｓa640が順次Ｈレベルになると、第２番目、第３番目、第４番目、…、第６４０番目のブロックに属する３列のデータ線１１４にそれぞれ順番にデータ信号Ｖid1〜Ｖid3がサンプリングされ、これにより、２行目に位置する１〜１９２０列の画素に対して、階調に応じた負極性の書き込みがなされることになる。
【００３８】
ｎフレームにおいては、以降同様にして、奇数３、５、７、…、１０７９行の画素に対し、階調に応じた正極性の書き込みがなされ、偶数４、６、８、…、１０８０行の画素に対し、階調に応じた負極性の書き込みがなされることになる。
次の（ｎ＋１）フレームにおいても、同様な書き込みが行われるが、この際、極性指定信号Ｐolは各行に対応して論理反転するので、各行の書込極性が入れ替えられる。すなわち、次の（ｎ＋１）フレームにおいては、奇数行目の画素については負極性書込がなされる一方、偶数行目の画素については正極性書込がなされることになる。
【００３９】
図８は、奇数ｉ行目と、これに続く偶数（ｉ＋１）行目の走査線とが選択される期間におけるデータ信号Ｖid1の電圧波形の一例を示す図である。なお、図８においてデータ信号Ｖid1の電圧を示す縦スケールは、便宜的に他の信号における縦スケールよりも拡大してある。
この図に示されるように、奇数ｉ行目に正極性書込が指定されるｎフレームにおいて走査信号ＧiがＨレベルになる水平走査期間のうち、例えばサンプリング信号Ｓa1がＨレベルになる期間に、データ信号Ｖid1は、電圧Ｖbpよりも、ｉ行１列の画素の階調に応じた電圧だけ低位側の電圧（図において↓で示される）となり、以降、サンプリング信号の変化に合わせて、４、７、１０、…、１９１８列の画素の階調に応じた正極性電圧に変化する。
一方、偶数（ｉ＋１）行目では、書込極性の反転により負極性書込が指定されるので、走査信号Ｇ(i+1)がＨレベルになる水平走査期間のうち、例えばサンプリング信号Ｓa1がＨレベルになる期間に、データ信号Ｖid1は、電圧Ｖbnよりも、ｉ行１列の画素の階調に応じた電圧だけ高位側の電圧（図において↑で示される）となり、以降、サンプリング信号の変化に合わせて、４、７、１０、…、１９１８列の画素の階調に応じた正極性電圧に変化する。
なお、図８において、サンプリング信号Ｓa640がＬレベルに変化してからサンプリング信号Ｓa1が変化するまでの水平帰線期間にわたって黒色に相当する電圧となっているが、その理由は、タイミングずれなどの理由により誤って画素に書き込まれても、表示に寄与させないためである。
【００４０】
本実施形態において、補正回路５５により補正した画像データＶdaを極性指定信号Ｐolで指定された極性に変換して、データ信号として画像信号線１４６、ＴＦＴ１４４、データ線１１４およびＴＦＴ１１６を介して画素電極１１８に印加すると、フリッカが目立たない上に、補正しないときと比較して階調変化を小さくしたものとすることが可能となる。
【００４１】
なお、上述した実施形態にあっては、３列のデータ線１１４を１ブロックにまとめて、１ブロックに属する３列のデータ線１１４に対し、３チャネルに分配・変換したデータ信号Ｖid1〜Ｖid3をサンプリングする構成したが、分配数および同時に印加するデータ線の数（すなわち、１ブロックを構成するデータ線の列数）は、「３」に限られるものではない。例えば、サンプリングスイッチとして機能するＴＦＴ１４４の応答速度が十分に高いのであれば、パラレルに変換することなく１本の画像信号線にシリアル伝送して、データ線１１４毎に順次サンプリングするように構成しても良い。また、変換数および同時に印加するデータ線の数を「３」以外の、例えば「２」としても良いし、４以上の例えば「６」等としても良い。
また、上述した実施形態にあっては、正極性に変換する際に用いる補正値をＬＵＴ５０４に記憶させたが、負極性に変換する際に用いる補正値（図５（ｂ）参照）を記憶させておくとともに、正極性に変換する際に用いる補正値を符号反転して用いる構成としても良い。
【００４２】
さらに、上述した実施形態にあっては、対向電極１０８と画素電極１１８との電圧実効値が小さい場合に白色表示を行うノーマリーホワイトモードとして説明したが、黒色表示を行うノーマリーブラックモードとしても良い。
くわえて、実施形態にあっては、透過型として説明したが反射型としても良い。さらに、上述した実施形態では、液晶としてＴＮ型を用いたが、ＢＴＮ（Bi-stable Twisted Nematic）型・強誘電型などのメモリ性を有する双安定型や、高分子分散型、さらには、分子の長軸方向と短軸方向とで可視光の吸収に異方性を有する染料（ゲスト）を一定の分子配列の液晶（ホスト）に溶解して、染料分子を液晶分子と平行に配列させたＧＨ（ゲストホスト）型などの液晶を用いても良い。
また、電圧無印加時には液晶分子が両基板に対して垂直方向に配列する一方、電圧印加時には液晶分子が両基板に対して水平方向に配列する、という垂直配向（ホメオトロピック配向）の構成としても良いし、電圧無印加時には液晶分子が両基板に対して水平方向に配列する一方、電圧印加時には液晶分子が両基板に対して垂直方向に配列する、という平行（水平）配向（ホモジニアス配向）の構成としても良い。このように、本発明では、液晶や配向方式として、種々のものに適用することが可能である。
【００４３】
次に、上述した実施形態に係る電気光学装置を用いた電子機器の一例として、上述した電気光学装置１０の表示パネル１００をライトバルブとして用いたプロジェクタについて説明する。図９は、このプロジェクタの構成を示す平面図である。
この図に示されるように、プロジェクタ２１００の内部には、ハロゲンランプ等の白色光源からなるランプユニット２１０２が設けられている。このランプユニット２１０２から射出された投射光は、内部に配置された３枚のミラー２１０６および２枚のダイクロイックミラー２１０８によってＲ（赤）、Ｇ（緑）、Ｂ（青）の３原色に分離されて、各原色に対応するライトバルブ１００Ｒ、１００Ｇおよび１００Ｂにそれぞれ導かれる。なお、Ｂ色の光は、他のＲ色やＧ色と比較すると、光路が長いので、その損失を防ぐために、入射レンズ２１２２、リレーレンズ２１２３および出射レンズ２１２４からなるリレーレンズ系２１２１を介して導かれる。
【００４４】
ここで、ライトバルブ１００Ｒ、１００Ｇおよび１００Ｂの構成は、上述した実施形態における表示パネル１００と同様である。
Ｒ、Ｇ、Ｂの各色に対応する画像データＶd-R、Ｖd-G、Ｖd-Bは、図１０に示されるような補正回路５５によって補正され、この補正された画像データＶda-R、Ｖda-G、Ｖda-Bに基づいた、Ｒ、Ｇ、Ｂの各色に対応するデータ信号によってライトバルブ１００Ｒ、１００Ｇおよび１００Ｂがそれぞれ駆動される。なお、図１０に示される補正回路５５は、図３に示した補正回路をＲ、Ｇ、Ｂに対応して３組有するものであり、Ｓ／Ｐ変換器５４２およびＤ／Ａ変換回路群５４４については同様であるので、省略している。
したがって、表示パネル１００を含む電気光学装置１０が、Ｒ、Ｇ、Ｂに対応して３組設けられることになる。
なお、ライトバルブ１００Ｒ、１００Ｇ及び１００Ｂは、ライトバルブ１００Ｒ、１００Ｇ及び１００Ｂの電気的な構成は全く同一であるので、その特性もほぼ同様である。このため、図１０に示した補正回路５５において、Ｒに対応するＬＵＴ５０４Ｒと、Ｇに対応するＬＵＴ５０４Ｇと、Ｂに対応するＬＵＴ５０４Ｂとに記憶される補正値も互いに同一である。すなわち、Ｒ、Ｇ、Ｂのいずれかの１つについて、上述した調整により設定した値を用いると、ＬＵＴに記憶する補正値を互いに共用することができる。
【００４５】
さて、ライトバルブ１００Ｒ、１００Ｇ、１００Ｂによってそれぞれ変調された光は、ダイクロイックプリズム２１１２に３方向から入射する。そして、このダイクロイックプリズム２１１２において、Ｒ色およびＢ色の光は９０度に屈折する一方、Ｇ色の光は直進する。したがって、各色の画像が合成された後、スクリーン２１２０には、投射レンズ２１１４によってカラー画像が投射されることとなる。
なお、ライトバルブ１００Ｒ、１００Ｇおよび１００Ｂには、ダイクロイックミラー２１０８によって、Ｒ、Ｇ、Ｂの各原色に対応する光が入射するので、直視型のようにカラーフィルタを設ける必要はない。また、ライトバルブ１００Ｒ、１００Ｂの透過像は、ダイクロイックプリズム２１１２により反射した後に投射されるのに対し、ライトバルブ１００Ｇの透過像はそのまま投射されるので、ライトバルブ１００Ｒ、１００Ｂによる水平走査方向は、ライトバルブ１００Ｇによる水平走査方向と逆向きにして、左右を反転させた像を表示する構成となっている。
また、ここでは、Ｒ、Ｇ、Ｂに対応する３組の電気光学装置を用いるとしているが、例えばＧに相当する色を、例えばＲ寄りのＧと、Ｂ寄りのＧとの２つに分けることによって計４つの画像を合成して投射する構成としても良い。この構成では、４組の電気光学装置が設けられることになるが、ライトバルブの構成自体は互いに同一であるので、同様にＬＵＴに記憶する補正値の内容は互いに同一となる。
【００４６】
電子機器としては、図９に示したプロジェクタの他にも、テレビジョンや、ビューファインダ型・モニタ直視型のビデオテープレコーダ、カーナビゲーション装置、ページャ、電子手帳、電卓、ワードプロセッサ、ワークステーション、テレビ電話、ＰＯＳ端末、ディジタルスチルカメラ、携帯電話機、タッチパネルを備えた機器等などが挙げられる。そして、これらの各種の電子機器に対して、本発明に係る電気光学装置が適用可能なのは言うまでもない。
【図面の簡単な説明】
【００４７】
【図１】本発明の実施形態に係る電気光学装置の構成を示すブロック図である。
【図２】同電気光学装置における画素の構成を示す図である。
【図３】同電気光学装置における画像データ処理回路の構成を示す図である。
【図４】同画像データ処理回路のＬＵＴに記憶される補正値を示す図である。
【図５】同画像データ処理回路における補正値および符号反転値を示す図である。
【図６】同ＬＵＴに記憶される補正値の設定を示す図である。
【図７】同電気光学装置におけるデータ信号の書込動作を示す図である。
【図８】同電気光学装置におけるデータ信号の書込動作を示す図である。
【図９】実施形態に係る電気光学装置を適用したプロジェクタの構成を示す図である。
【図１０】同プロジェクタにおける補正回路の構成を示す図である。
【符号の説明】
【００４８】
１０…電気光学装置、５０…画像データ処理回路、５５…補正回路、１００…表示パネル、１１０…画素、１１２…走査線、１１４…データ線、１１６…ＴＦＴ、１１８…画素電極、１３０…走査線駆動回路、１４０…データ線駆動回路、１４４…ＴＦＴ、１４６…画像信号線、１５４…ＴＦＴ、５０４…ＬＵＴ、５０６…補間回路、５０８…符号反転器、５１０…セレクタ、５３０…加算回路、２１００…プロジェクタ
【図１】
2008185993.tif 000003
【図２】
2008185993.tif 000004
【図３】
2008185993.tif 000005
【図４】
2008185993.tif 000006
【図５】
2008185993.tif 000007
【図６】
2008185993.tif 000008
【図７】
2008185993.tif 000009
【図８】
2008185993.tif 000010
【図９】
2008185993.tif 000011
【図１０】
2008185993.tif 000012